(57)【要約】ヘアカーラー加熱システムは、強磁性コア、プラスチック外部シェル、その間の絶縁体、ならびに、カーラーを支持し、そこでカーラーを加熱するための筐体を有するヘアカーラーを含むように開示される。筐体は、誘導コイルおよび制御回路を含む。【選択図】図４
2014522699.tif 000002
【特許請求の範囲】
【請求項１】
ａ．その周囲に伸長する複数のスリットを有する第一の円錐状部材と、
ｂ．実質的にシリコンで構成される前記第一の円錐状部材内に実質的に適合する第二の円錐状部材と、
ｃ．強磁性材料を含む前記第二の円錐状部材内に実質的に適合する第三の円錐状部材と、
ｄ．そこに実質的に同軸の複数のスリットを有する前記第一の円錐状部材の端部に適合する第一の終端キャップと、
ｅ．そこに実質的に同軸の複数のスリットを有する前記第三の円錐状部材の端部に適合する第二の終端キャップと、
を含む、
ことを特徴とするヘアカーラー。  
【請求項２】
前記第一の円錐状部材は、そこに髪を付着させるための摩擦表面を含む、
ことを特徴とする請求項１に記載のカーラー。
【請求項３】
前記第二の円錐状部材は絶縁体である、
ことを特徴とする請求項１に記載のカーラー。
【請求項４】
前記第三の円錐状部材は誘導加熱源から加熱されるように適合される、
ことを特徴とする請求項１に記載のカーラー。
【請求項５】
ａ．上部、中間および下部筐体と、
ｂ．前記上部筐体と前記中間筐体との間に配置された誘導コイルと、
ｃ．前記コイルに動作可能なように接続された制御回路と、
ｄ．前記中間筐体と前記下部筐体との間に配置された共振キャパシタと、
ｅ．前記キャパシタに接続されたヒートシンクと、
ｆ．前記上部筐体に取り付けられ、前記制御回路に動作可能なように接続された色つき加熱表示パネルと、
を含む、
ことを特徴とするヘアカーラーヒーター。
【請求項６】
前記上部筐体と前記中間筐体との間に挟まれた第一のＯ−リングと、前記中間筐体と前記下部筐体との間に挟まれた第二のＯ−リングとをさらに含む、
ことを特徴とする請求項５に記載のヒーター。
【請求項７】
そこにヘアカーラーを加熱するためのコンセントをさらに含む、
ことを特徴とする請求項６に記載のヒーター。
【請求項８】
前記表示パネルは、そこに加熱されたヘアカーラーが使用のために準備されたかを示すための少なくとも二色を含む、
ことを特徴とする請求項７に記載のヒーター。
【請求項９】
前記表示パネルは、そこに加熱されたヘアカーラーの熱を示すための複数色を含む、
ことを特徴とする請求項８に記載のヒーター。
【請求項１０】
前記キャパシタは、それに関連する共振回路を含む、
ことを特徴とする請求項９に記載のヒーター。
【請求項１１】
ヘアカーラー加熱システムであって、
ａ．強磁性コア、プラスチック外部シェルおよびその間の絶縁体を有するヘアカーラーと、
ｂ．前記カーラーを支持し、そこで前記カーラーを加熱するための筐体であって、
ｉ．誘導コイルと
ｉｉ．前記コイルに動作可能なように接続された制御回路と、
ｉｉｉ．前記回路に動作可能なように接続された共振キャパシタと、
ｉＶ．前記キャパシタに接続されたヒートシンクと、
Ｖ．前記筐体に取り付けられ、前記回路に動作可能なように接続された色つき加熱表示パネルと、
を含む、筐体と、
を含む、
ことを特徴とするシステム。
【請求項１２】
前記カーラーの前記コア、前記シェルおよび前記絶縁体は円錐状である、
ことを特徴とする請求項１１に記載のシステム。
【請求項１３】
前記シェルはその周囲に伸長する複数のスリットを有し、そこに髪を付着させるための摩擦表面を含む、
ことを特徴とする請求項１２に記載のシステム。
【請求項１４】
前記コアは、強磁性材料を含む、
ことを特徴とする請求項１３に記載のシステム。
【請求項１５】
前記カーラーは、実質的に同軸の複数のスリットをそこに有する前記シェルの端部に適合する第一の終端キャップと、実質的に同軸の複数のスリットをそこに有する前記コアの端部に適合する第二の終端キャップとをさらに含む、
ことを特徴とする請求項１４に記載のシステム。
【請求項１６】
前記筐体は、上部、中間、および下部筐体、前記上部筐体と前記中間筐体との間に挟まれた第一のＯ−リング、前記中間筐体と前記下部筐体との間に挟まれた第二のＯ−リングを含む、
ことを特徴とする請求項１５に記載のシステム。
【請求項１７】
前記ヘアカーラーを加熱するためのコンセントをそこにさらに含む、
ことを特徴とする請求項１６に記載のシステム。
【請求項１８】
前記表示パネルは、その中で加熱されたヘアカーラーが使用のために準備されたかどうかを示す少なくとも二色を含む、
ことを特徴とする請求項１７に記載のシステム。
【請求項１９】
前記表示パネルは、その中で、加熱されたヘアカーラーの熱を示す複数色を含む、
ことを特徴とする請求項１８に記載のシステム。
【請求項２０】
前記キャパシタは、それに関連する共振回路を含む、
ことを特徴とする請求項１９に記載のシステム。
【発明の詳細な説明】
【技術分野】
【０００１】
本発明は、概して、新しいタイプのヘアカーラーに関する。特に、本発明は、ヘアカーラーを加熱するためのデバイスおよび方法に関する。特に、本発明は、使用するうえで安全、容易かつ、迅速な、カールヘア用に使用されるローラーを加熱するための、専門家および消費者使用のための審美的システムに関する。
【背景技術】
【０００２】
従来のヘアカーリングローラーは、通常、加熱ステーションに配列された全ローラーを据え付けられた一つのベースを有するようにする。典型的には、人が加熱ステーションをオン状態にすると、ローラーの全セットが同時に加熱する。ローラーは、最大温度に達するのに、２分から５分かかり、それまで使用することができない。いったんローラーが高温になると、ローラーはヒーターから取り外されて、その周囲に髪が巻かれる。
【０００３】
加熱ステーションに多くの加熱されたローラーを有することは、家かサロンかに関わらず、専門家と消費者の双方にとって危険である。ローラーは、加熱されたローラーによって火傷を負った人および物で倒されるか、ひっくり返されうる。さらに、加熱ステーションは高温となり、特に小さい子供が家庭内にいる場合には、家での使用に際して安全上の問題となりうる。
【０００４】
したがって、使用するうえで安全、容易かつ、迅速な、カールヘア用に使用されるローラーを加熱するための、専門家および消費者の使用するための審美的システム用の技術分野において多大な必要性が存在する。したがって、ヘアカーリングローラーを加熱するうえで固有の、前述の困難および積年の問題点を有効に克服する改良されたヘアカーラーの加熱デバイスおよび方法が本発明で提供される。これらの問題点は、ヘアカーラーを加熱する単純で、簡便かつ効果的な方法で解決される。
【発明の概要】
【０００５】
本発明の一態様に従い、ヘアカーラーは、その周囲に伸長するスリットを有する第一の円錐状部材と、実質的にシリコンで構成される第一の円錐状部材内に実質的に適合する第二の円錐状部材と、強磁性材料を含む第二の円錐状部材内に実質的に適合する第三の円錐状部材とを含むように開示される。第一の終端キャップは、そこに実質的に同軸のスリットを有する第一の円錐状部材の終端に適合し、第二の終端キャップは、そこに実質的に同軸のスリットを有する第三の円錐状部材の終端に適合する。
【０００６】
本発明の別の態様に従い、ヘアカーラーヒーターは、上部、中間および下部筐体を含むように開示される。誘導コイルは、上部筐体と中間筐体との間に配置され、制御回路は、コイルに動作可能なように接続される。共振キャパシタは、中間筐体と下部筐体との間に配置される。ヒートシンクは、キャパシタに接続され、色つき加熱表示パネルは、上部筐体に取り付けられ、制御回路に動作可能なように接続される。
【０００７】
本発明のさらに別の態様に従い、ヘアカーラー加熱システムは、強磁性コア、プラスチック外部シェル、その間の絶縁体、カーラーを支持し、その内でカーラーを加熱するための筐体を含むように開示される。筐体は、誘導コイルと、コイルに動作可能なように接続された制御回路と、回路に動作可能なように接続された共振キャパシタと、キャパシタに接続されたヒートシンクと、筐体に取り付けられ、回路に動作可能なように接続された色つき加熱表示パネルと、を含む。
【０００８】
本発明のさらなる目的は、以下の記述から明らかになるであろう。
【０００９】
本発明の方法および装置は、特定の実施形態の以下の詳細な記述および当該実施形態を図示し、かつ例示する添付された図面を参照することによって、より理解されるであろう。
【図面の簡単な説明】
【００１０】
本発明の具体的な実施形態は、以下の図面を参照して記述される。
【図１】本発明のカーラーヒーターの直角上面図である。
【図２】本発明のカーラーヒーターの側面図である。
【図３】本発明のカーラーヒーターの分解組み立て図である。
【図４】本発明のカーラーヒーターの断面側面図である。
【図５】本発明のシステムの電気的概略図である。
【図６】本発明のカーラーの分解組み立て図である。
【発明の詳細な説明】
【００１１】
図面によって例示されたような以下の望ましい実施形態は、本発明を例示する目的のものであって、本出願の請求項によって包含されるような本発明を限定することを意図するものではない。ヘアカーラーを加熱するためのデバイスおよび方法が本明細書では開示される。
【００１２】
図１−図４に図示されるように、本発明のカーラーヒーター１は、典型的に１８５ｍｍの直径を有する上部筐体１ａ、典型的に１８５ｍｍもしくは１７５ｍｍの直径と３５ｍｍの高さとを有する中間筐体１ｂ、典型的に１７５ｍｍの直径を有する下部筐体１ｃを示す。典型的にＯ−リングであるシリコンリングは筐体をお互いに分離する。
【００１３】
図３に特に図示されるように、第一のシリコンリング２ａは、中間筐体１ｂ他から、上部筐体１ａを分離し、第二のシリコンリング２ｂは、下部筐体１ｃから中間筐体１ｂを分離する。ネジ１４は、筐体を接続する。
【００１４】
加熱表示パネル３は、上部筐体１ａに取り付けられる。表示パネル３は、一つ以上のＬＥＤであってもよい。典型的には、この表示パネル３は、カラーコード表示によってカーラーに適用される熱の充足性を表示する。例えば、緑色にすることによって、カーラーが十分に加熱されていることが示されてもよい。或いは、電力が印加されると赤色を表示して、その後、カーラーが十分に加熱されると緑色になってもよい。さらに別の実施形態は、カーラーによって達成された温度分布を示す色の範囲もしくは表示光の範囲を含んでもよい。例えば、ローラーがどれだけの熱エネルギーを残したかをユーザに示す４色に変化するインジケータ１３が使用され、ヘアスタイリング目的用の予測可能な判断をする。全ての４部分の色が変化するとき、カーラーはその最大温度に達している。３つの部分が光ることは、カーラーが熱出力のうちの７５％に達したことを意味する可能性がある。２つの部分が光ることは、カーラーが熱出力のうちの５０％に達したことを意味する可能性がある。もし最終部分のみが光る場合には、カーラーは熱出力のうちの２５％に達したことを意味する可能性がある。
【００１５】
図４に特に示されるように、コイルフレーム４は、加熱を望まれるヘアカーラーを支持するように設計されたウェル４ａを形成する。コイルフレーム４は、その周囲にワイヤの巻線を含む誘導コイルをも支持する。
【００１６】
下部筐体１ｃに取り付けられるのは、ヒーターに電力を適用し、接続を切り離すためのオン／オフスイッチ５である。
【００１７】
ワイヤコイル６は、誘導コイルを作成するために、コイルフレーム４の周囲に巻かれる。ワイヤコイル６は、典型的には、複数段（例えば、２０段）のエナメルによって絶縁されたワイヤを含む。ワイヤは、典型的には、直径０．３ｍｍであって、より合わされて、例えば、典型的に３ｍｍの厚さおよび６３ｍｍの長さを有する直径１００ｍｍのコイルフレームに巻かれる。コイル周囲の巻き数は変化する可能性があるが、典型的には２６−２８巻きである。
【００１８】
制御回路７は、ワイヤコイル６に対して動作可能なように接続される。制御回路は、典型的には、プリント回路基板であってもよい。プリント回路基板は、以下を含む。
2014522699.tif 000003
【００１９】
マイクロスイッチ８は、コイルフレーム４に対して制御回路７を接続する。共振キャパシタ９は、中間筐体１ｂと下部筐体１ｃとの間に配置され、回路基板に動作可能なように接続される。コイル６は、共振回路を作成するために、共振キャパシタ９と並列に接続される。ヒートシンク１０は、下部筐体１ｃに収容され、キャパシタ９に接続される。加熱ユニット１に対する電力は、下部筐体１ｃ内に配置された適切な電気接続１１に接続された電力コードによって供給される。
【００２０】
図５は、本発明の電気システムを概略的に示す。本発明は、絶縁ゲートバイポーラトランジスタ（ＩＧＢＴ）によって共振回路のオンオフ制御をするように主に設計される。共振回路によって駆動されると、インダクタは、高周波数の交流電流を形成する。インダクタを通って流れる電流の変化は、変化する磁力線を生成し、それによって磁界を形成する。磁力線によって誘導される渦電流は、鉄製ヘアカーラーの外壁上に形成され、鉄製ヘアカーラーに対するこれらの渦電流の電気インピーダンスは、電気エネルギーを熱エネルギーに変換する。
【００２１】
図６は、カーラーヒーター１で加熱するための、本発明のヘアカーラー３０の分解組み立て図を示す。第一の円錐状部材１２は、その周囲に伸長するスリット１５を有する。典型的には、細い毛が引っ掛かるか引きちぎられないように、髪を十分につかむために、セルフグリップテープが第一の円錐状部材１２で使用される。
【００２２】
第二の円錐状部材１６は、第一の円錐状部材１２内に実質的に適合する。第二の円錐状部材１６は、本質的にシリコンで構成される。第三の円錐状部材１８は、第二の円錐状部材１６に実質的に適合する。第三の円錐状部材１８は、強磁性材料を含む。第一の終端キャップ２０は、第一の円錐状部材１２の終端に適合し、実質的に同軸のスリット２２を有する。第二の終端キャップ２４は、第三の円錐状部材１８の終端に適合し、そこに実質的に同軸のスリット２６をも有する。ヘアクランプ２８は、ヘアローラーに巻かれた髪を典型的には保持する。ヘアクランプは、ヘアローラーが熱を保持し、かつその場所にローラーを固定するのに役立つ。
【００２３】
典型的には、６つのサイズのヘアカーラー（直径２６ｍｍ、３２ｍｍ、３８ｍｍ、４６ｍｍ、５２ｍｍおよび５８ｍｍ）が存在する。これらは、厚さ０．１ｍｍ、長さ６０ｍｍのステンレス鉄シートで作成される。各ヘアカーラーは、ナイロンセルフグリップテープで被覆された、典型的には厚さ１−１．５ｍｍで外部に追加されたシリコンフィルムを有し、ポリカーボネートプラスチックで被覆された上部および下部を有する。ローラーの各サイズは、ローラー内部の絶縁体によって制御され、同一温度を同一期間保持する。
【００２４】
［実施例］
より多くの改変が本発明の趣旨を逸脱することなく、請求項の範囲内でなされうるため、本発明の以下の実施例は、本発明を限定することを意図するものではないことを理解されたい。
【００２５】
動作においては、本発明の一実施形態は以下のように動作する。電力供給がオンに切り替えられて二つの柱上スイッチがオン状態になると、電源は赤色表示によって示されるオン状態である。大きいもしくは小さい熱伝導加熱カーラーがウェル内に引き込まれると、ウェル内のマイクロスイッチがアクティブ化される。任意の強磁性材料が検出される場合、緑色ランプが明滅し、音響信号を送信し、インダクタに対して高周波数の交流電流を適用する。磁界は、こうしてウェル内で生成される。磁界の範囲内に強磁性材料が存在する場合には、高周波数の渦電流が磁界内に生成される。渦電流の影響下では、強磁性材料を含む熱伝導ヘアカーラーは、熱を生成する。緑色ランプが明滅を停止し、音響信号が終わると、加熱が停止する。熱伝導ヘアカーラーは、その後、使用のために取り外すことができる。高周波数の渦電流が熱伝導ヘアカーラー内にまだ残っているため、温度がゆっくりと上昇する。温度インジケータが色をゆっくりと変化させ始める（４つの全てのグリッドが色を変化させる）と、熱伝導ヘアカーラーは、４つのグリッドがその最初の色に変わるまで、もう加熱することができないことを意味する。
【００２６】
ウェル内の物体が鉄を含有するか否かを示すための総計時間は、典型的には４秒である。カーラーを加熱するための総計時間は典型的には４秒である。
【００２７】
誘導加熱の迅速な瞬時の加熱によって、ユーザがカーリングローラーを加熱ウェルに配置し、合計８秒待機し、当該ローラーを取り出して、次の巻髪の準備のためにウェル内へ別のローラーを配置することを可能にする。本発明は、一度に一つのローラーを加熱し、加熱されたローラーを周囲に配置するリスクを排除する。ローラーはスタイリング用に常に新しく加熱される。
【００２８】
本発明の誘導によって、ヘアローラー適用時においてではなく、その直後にローラーが最大温度に達することが可能になる。これによって、高温のローラーを取り付ける代わりに、穏やかに加熱されたローラーを扱う十分な時間をユーザに提供する。
【００２９】
上述され、示された特定の実施形態は、本発明の関連する加熱するヘアスタイリング技術における多くの用途において有用であることを示すが、本発明のさらなる改変が当業者に対して明らかであろう。このような全ての改変は、添付された請求項によって定義されたような本発明の範囲および趣旨内にあると判断される。
【図１】
2014522699.tif 000004
【図２】
2014522699.tif 000005
【図３】
2014522699.tif 000006
【図４】
2014522699.tif 000007
【図５】
2014522699.tif 000008
【図５Ａ】
2014522699.tif 000009
【図５Ｂ】
2014522699.tif 000010
【図６】
2014522699.tif 000011
【国際調査報告】
2014522699.tif 000012
2014522699.tif 000013